(57)【特許請求の範囲】
【請求項１】
装置筐体の内部と外部とを連通する開口部と、
前記装置筐体の内部に収納される不使用時の位置と前記装置筐体の外部に展開される使用時の位置との間を、前記開口部を通って移動する表示部と、
前記装置筐体の内部において前記開口部の一方側から他方側へ回り込むように設定された軌道の上を往復移動して前記開口部を開閉するカバーと、を備え、
前記カバーは、前記表示部の不使用時に前記開口部を前記一方側から閉鎖する第一部位と、前記表示部の使用時に前記開口部を前記他方側から閉鎖する第二部位とを有する
ことを特徴とする表示装置用開閉機構。
【請求項２】
前記装置筐体の内部に設けられ、前記開口部を通して投射光を前記表示部に投射する投光装置を備え、
前記第二部位は、前記投射光を透過する透過部を有する
ことを特徴とする請求項１に記載の表示装置用開閉機構。
【請求項３】
前記軌道の一部は、前記投光装置に対して投射光を投射する側とは反対側に回り込むように設定されている
ことを特徴とする請求項２に記載の表示装置用開閉機構。
【請求項４】
前記表示部は、不使用時に前記装置筐体の内部で横たわった状態とされ、使用時に横たわった状態から揺動されて前記装置筐体の外部で起立した状態とされる
ことを特徴とする請求項１〜３の何れか一項に記載の表示装置用開閉機構。
【請求項５】
前記装置筐体の内部で前記軌道に沿って設けられ、前記カバーの移動を案内するガイドを備える
ことを特徴とする請求項１〜４の何れか一項に記載の表示装置用開閉機構。
【請求項６】
前記カバーは、複数のスラット部と、隣接する前記スラット部どうしを連結する複数の連結部とを含み、
前記スラット部が剛性を有し、前記連結部が屈曲変形可能な可撓性を有する
ことを特徴とする請求項１〜５の何れか一項に記載の表示装置用開閉機構。
【請求項７】
前記開口部がインストルメントパネルの上面に設けられている
ことを特徴とする請求項１〜６の何れか一項に記載の表示装置用開閉機構。
【請求項８】
前記表示部がドライバの前方視界に情報を重ね合わせて表示する、車両のヘッドアップディスプレイ装置のコンバイナである
ことを特徴とする請求項１〜７の何れか一項に記載の表示装置用開閉機構。
【発明の詳細な説明】
【技術分野】
【０００１】
本発明は、表示装置において、装置筐体から出没するように移動する表示部の移動経路に設けられた開口部を開閉する機構に関する。
【背景技術】
【０００２】
車両に装備される表示装置の一つとして、走行状態に関する情報や地図情報を映す表示部を装置筐体から出没するように移動させる機構を備えたものが開発されている。この表示部は、使用されないときに装置筐体の内部に格納（収納）され、使用されるときに装置筐体の開口部を通って外部に展開される。たとえばヘッドアップディスプレイ装置では、展開された表示部に、投光装置（プロジェクタ）から投射されるさまざまな画像や影像、文字などが映し出される（特許文献１参照）。
【先行技術文献】
【特許文献】
【０００３】
【特許文献１】特開２０１３−５４３１１号公報
【発明の概要】
【発明が解決しようとする課題】
【０００４】
しかしながら、特許文献１に示されるように表示部が開口部を通る機構では、開放されている開口部から塵や埃などの微細な異物、コインやカードなどの大きな異物が装置筐体の内部に侵入するおそれがある。たとえば、格納された表示部へ微細な異物が付着することで、その後に展開される表示部に映し出される情報の視認性が低下しうる。また、侵入した異物が取り除きにくいことから、筐体内部の清掃作業性が低下しうる。さらに、侵入した異物により、筐体内部に設けられた各装置の耐久性を低下させうる。
仮に、パネル状のカバーで開口部が覆われれば、筐体内部への異物の侵入を抑えることはできるものの、表示部が開口部を通るときには、装置筐体の内部にカバーを格納する必要がある。よって、装置の大型化を招いてしまう。
【０００５】
本発明は、上記のような課題に鑑み創案されたもので、その目的の一つは、異物の侵入を抑えるとともに装置の大型化を抑えることができるようにした、表示装置用開閉機構を提供することである。
なお、ここでいう目的に限らず、後述する〔発明を実施するための形態〕に示す各構成により導かれる作用効果であって、従来の技術によっては得られない作用効果を奏することも本発明の他の目的として位置づけることができる。
【課題を解決するための手段】
【０００６】
（１）上記の目的を達成するために、本発明の表示装置用開閉機構は、装置筐体の内部と外部とを連通する開口部と、前記開口部を通って移動する表示部と、前記開口部を開閉するカバーとを備える。
前記表示部は、前記装置筐体の内部に収納される不使用時の位置と前記装置筐体の外部に展開される使用時の位置との間を移動する。
前記カバーは、前記装置筐体の内部において前記開口部の一方側から他方側へ回り込むように設定された軌道の上を往復移動する。
たとえば、前記カバーは、前記軌道に沿って変形可能に構成されている。
また、前記カバーは、第一部位と第二部位とを有する。
前記第一部位は、前記表示部の不使用時に前記開口部を前記一方側から閉鎖する位置に設けられる。
前記第二部位は、前記表示部の使用時に前記開口部を前記他方側から閉鎖する位置に設けられる。
なお、前記軌道に沿う方向基準で、前記カバーの寸法は、前記軌道の寸法から前記開口部の寸法を差し引いた寸法よりも短く設定されることが好ましい。
【０００７】
（２）本発明の表示装置用開閉機構は、前記装置筐体の内部に設けられるとともに前記開口部を通して投射光を前記表示部に投射する投光装置を備え、前記第二部位が前記投射光を透過する透過部を有することが好ましい。
【０００８】
（３）さらに、前記軌道の一部は、前記投光装置に対して投射光を投射する側とは反対側に回り込むように設定されていることが好ましい。
【０００９】
（４）前記表示部は、不使用時に前記装置筐体の内部で横たわった状態とされ、使用時に横たわった状態から揺動されて前記装置筐体の外部で起立した状態とされることが好ましい。
【００１０】
（５）本発明の表示装置用開閉機構は、前記カバーの移動を案内するガイドを備えることが好ましい。前記ガイドは、前記装置筐体の内部で前記軌道に沿って設けられることが好ましい。
【００１１】
（６）前記カバーは、複数のスラット部と、隣接する前記スラット部どうしを連結する複数の連結部とを含むことが好ましい。この場合、前記スラット部が剛性を有し、前記連結部が屈曲変形可能な可撓性を有することが好ましい。
【００１２】
（７）前記開口部は、インストルメントパネルの上面に設けられることが好ましい。この場合、前記表示装置がインストルメントパネルに内蔵される。
【００１３】
（８）前記表示部は、ドライバの前方視界に情報を重ね合わせて表示するコンバイナであることが好ましい。なお、前記コンバイナは、車両のヘッドアップディスプレイ装置の一部である。
【発明の効果】
【００１４】
本発明の表示装置用開閉機構によれば、表示部の不使用時であっても使用時であってもカバーの第一部位および第二部位によって開口部が閉鎖されることで、開口部からの異物の侵入を抑えることができる。
また、装置筐体の内部において開口部の一方側から他方側へ回り込むように設定された軌道の上をカバーが往復移動することから、カバーがたとえば湾曲するように折り曲げられて収容される。すなわち、カバーを軌道に沿って変形させることで、収容スペースを小さくすることができる。したがって、装置の大型化を抑えることができる。
これらより、異物の侵入を抑えるとともに装置の大型化を抑えることができる。
【図面の簡単な説明】
【００１５】
【図１】図１は、本発明の一実施形態における表示装置用開閉機構が適用される箇所を示す斜視図である。この図１には、表示部が使用時の位置であって、開口部が開放された状態のものを示す。
【図２】図２は、本発明の一実施形態における表示装置用開閉機構の一方の側面部を取り除いて示す斜視図である。この図２には、表示部が使用時の位置であって、開口部が開放された状態のものを示す。
【図３】図３は、図２に対してカバーおよび表示部の各位置が変更された図である。この図３には、表示部の不使用時にカバーで開口部が閉鎖された状態のものを示す。
【図４】図４は、図２に対してカバーの位置が変更された図である。この図４には、表示部の使用時にカバーで開口部が閉鎖された状態のものを示す。
【図５】図５は、本発明の一実施形態における表示装置用開閉機構の側面部を破断させて要部を拡大して示す斜視図である。
【発明を実施するための形態】
【００１６】
以下、図面を参照して、本発明の実施の形態を説明する。
本発明の表示装置用開閉機構は、車両の表示装置において、装置筐体から出没駆動される表示部の移動経路に設けられた開口部を、軌道に沿って移動するカバーで開閉する機構である。
本実施形態では、車両の前進方向を前方とし、その反対方向を後方とし、重力の作用方向を下方とし、その反対方向を上方とし、これらの前後および上下の何れの方向にも直交する方向を車幅方向とする。また、車幅方向からの眺めのことを側面視という。
なお、図中の矢視「Ｆ」は前方を示し、矢視「Ｒ」は後方を示し、矢視「Ｄ」は下方を示し、矢視「Ｕ」は上方を示し、矢視「Ｗ1」および「Ｗ2」で車幅方向を示し、軌道に沿う方向における一方を「Ｉ」で示すとともに他方を「Ｏ」で示す。
【００１７】
〔Ｉ．一実施形態〕
本実施形態では、表示装置用開閉機構の表示装置として、ヘッドアップディスプレイ装置を例示して説明する。
【００１８】
［１．構成］
以下、ヘッドアップディスプレイ装置の基本的な構成を説明し、その次に、ヘッドアップディスプレイ装置において開口部を開閉するための構成を詳細に説明する。
【００１９】
［１−１．基本構成］
はじめに、図１を参照して、ヘッドアップディスプレイ装置１の基本構成を説明する。
ヘッドアップディスプレイ装置１は、ドライバ５の運転中の視界に情報を重ねて表示するためのデバイスである。
このヘッドアップディスプレイ装置１は、ドライバ５とフロントウィンドウ２との間に設けられている。フロントウィンドウ２は、後方に向かうに連れて上下方向位置が高くなるように傾斜して設けられている。
【００２０】
ここでは、フロントウィンドウ２の下部２ａの下方に設けられたダッシュボード（インストルメントパネル）３に埋め込まれるようにして、ヘッドアップディスプレイ装置１が内蔵される。ヘッドアップディスプレイ装置１の位置は、ドライバ５が車両前方を注視しているときに視界の下部となる位置に設定される。
図２に示すように、ヘッドアップディスプレイ装置１は、装置筐体１０と、装置筐体１０から出没するように移動する表示部２０と、表示部２０を移動させる移動機構２９と、表示部２０に情報を映し出す光を投射する投光装置３０とを有する。
以下、装置筐体１０，表示部２０，移動機構２９，投光装置３０の順に各構成を説明する。
【００２１】
〈装置筐体〉
装置筐体１０は、上記の移動機構２９や投光装置３０などを内部に収容する外殻である。
ここでは、中空の直方体状の装置筐体１０を例示する。以下、装置筐体１０の表面を形成する六つの面のうち、ダッシュボード３の上面３ａ（図１参照）の一部をなす面を上面部１１と呼び、上面部１１に対して下方に空間をおいて向かい合う面を下面部１２と呼ぶ。また、上面部１１と下面部１２とを上下方向に接続する面のうち、前後方向に設けられた面（装置筐体１０の前面および後面）を立面部１３と呼び、車幅方向に設けられた面（装置筐体１０の右面および左面）を側面部１４と呼ぶ。
【００２２】
上面部１１には、開口部９が設けられている。すなわち、ダッシュボード３の上面３ａに、上向きの開口部９が設けられる。この開口部９によって、装置筐体１０の内部と外部とが連通される。開口部９の形状は、表示部２０とほぼ同じ幅寸法の矩形とされる。なお、装置筐体１０の小型化を図るには、装置筐体１０の幅寸法を表示部２０の幅寸法と同程度まで切り詰めることが好ましい。この場合、図２に示すように、開口部９が装置筐体１０のほぼ全幅にわたって形成される。
【００２３】
〈表示部〉
表示部２０は、情報を表示する透過型スクリーンである。ここで説明する表示部２０には、コンバイナが用いられている。コンバイナとは、ドライバ５の視界に情報を重ね合わせて表示するものである。コンバイナとしては、入射する光を一部反射するとともに一部透過するハーフミラーを用いることができる。
表示部２０では、投光装置３０から投射される光を反射させることでさまざまな画像や影像が映し出され、前方からの光を透過させることでドライバ５の視界が確保される。
【００２４】
また、表示部２０は、使用されないときに装置筐体１０の内部に格納（収納）され、使用されるときに装置筐体１０の外部に展開される。言い換えれば、表示部２０は、不使用時における装置筐体１０の内部の位置と使用時における装置筐体１０の外部の位置との間で出没するように移動する。
【００２５】
図３に示すように、不使用時の位置における表示部２０は、装置筐体１０の内部で横たわった状態とされる。具体的には、前後方向かつ車幅方向に沿って、不使用時の表示部２０が配向される。
図２に示すように、使用時の位置における表示部２０は、装置筐体１０の外部で起立した状態とされる。具体的には、フロントウィンドウ２（図１参照）よりも起立する（上下方向に沿う）とともにフロントウィンドウ２と同方向へ傾斜して、使用時の表示部２０が配向される。
【００２６】
表示部２０の下部２０ａには、表示部２０を支持する支持部２１が設けられている。ここでは、表示部２０の下部２０ａに対して後方の後方支持部２１ａと前方の前方支持部２１ｂとを有する支持部２１を例示する。これらの支持部２１ａ，２１ｂによって下部２０ａが挟み込まれた表示部２０が支持される。支持部２１の形状は、表示部２０の回転軸を中心軸とした筒面状に形成される。また、装置筐体１０の内部における支持部２１よりも車両後方側には、水平に配置された板状のサポート部材１９が設けられる。サポート部材１９の前端辺は、後方支持部２１ａの表面に当接するように配置される。これにより、表示部２０がサポート部材１９によって補助的に支持される。
【００２７】
〈移動機構〉
移動機構２９は、表示部２０を不使用時の位置と使用時の位置との間で往復移動させる駆動装置である。
この移動機構２９は、上記の支持部２１と、この支持部２１に連結された第一モータ２２とを有する。第一モータ２２を回転駆動することで、表示部２０の下部に設けられた支持部２１を回動させて表示部２０を移動させる。したがって、表示部２０は、不使用時の位置と使用時の位置との間で揺動するように移動する。
【００２８】
たとえば、第一モータ２２を正転駆動することで、表示部２０が不使用時の位置から使用時の位置へ移動する。反対に、第一モータ２２を逆転駆動することで、表示部２０が使用時の位置から不使用時の位置へ移動する。
移動機構２９による表示部２０の移動時には、表示部２０が開口部９を通過する。すなわち、表示部２０の移動経路に開口部９の一部が含まれる。
【００２９】
〈投光装置〉
投光装置３０は、プロジェクタとも称され、映写あるいは投影する画像や影像を光で投射するものである。たとえば、複数の半導体レーザを基板上に取り付けてドット表示するものを、投光装置３０として用いることができる。
この投光装置３０は、開口部９に対して後方であって下方に配置され、前方であって上方に向けて光を投射する。
【００３０】
この投射光は、開口部９を通過して表示部２０に投射される。すなわち、投光装置３０からの光の投射経路に、開口部９の一部が含まれる。
なお、投光装置３０は、表示部２０の使用時に点灯し、表示部２０の不使用時に消灯する。
【００３１】
［１−２．詳細構成］
次に、ヘッドアップディスプレイ装置１において開口部９を開閉するための詳細構成を説明する。
ヘッドアップディスプレイ装置１は、開口部９を開閉するカバー４０を備えている。このカバー４０は、開閉機構５０によって軌道Ｔの上を往復移動する。
以下、軌道Ｔ，カバー４０，開閉機構５０の順に説明する。
【００３２】
〈軌道〉
軌道Ｔは、開口部９の前側（一方側）から後側（他方側）へ回り込むように設定されている。この軌道Ｔは、装置筐体１０の内部に設定されている。
ここでは、軌道Ｔが無限に周回可能な無端軌道に設定されている。そのため、以下の説明では、軌道Ｔを無端軌道Ｔと呼ぶ。
この無端軌道Ｔは、側面視で長円をなしている。ここでいう長円は、二本の直線の各端部をそれぞれ円弧で結んだ形状をなす。無端軌道Ｔの直線部分は、開口部９の表面に沿って配置される。
無端軌道Ｔの長手方向は、表示部２０が不使用時に横たわる方向、すなわち、前後方向に沿って配向されている。一方、無端軌道の短手方向は、上下方向に沿って配向されている。
【００３３】
無端軌道Ｔのなす長円が囲む領域内には、不使用時の表示部２０が格納され（図３参照）、投光装置３０が収容される。
具体的には、無端軌道Ｔのなす長円のうち、上下の直線の間に不使用時の表示部２０が格納されている。また、この長円のうち後側の円弧内側に投光装置３０が収容される。そのため、無端軌道Ｔの一部は、投光装置３０に対して投射光を投射する側とは反対側（ここでは後側であって下側）に回り込むように設定されている。すなわち、無端軌道Ｔの一部が、投光装置３０の外周（後側）を回り込んでいる。
【００３４】
無端軌道Ｔにおける周回方向（以下、単に「周回方向」という）を基準としたときに、無端軌道Ｔの寸法（全周長さ）を「Ｌ1」とおき、開口部９の寸法を「Ｌ2」とおき、カバー４０の寸法を「Ｌ3」とおけば、「Ｌ3＜Ｌ1−Ｌ2」の関係が成り立つ。言い換えれば、周回方向基準で、カバー４０の寸法（Ｌ3）が、無端軌道Ｔの寸法（Ｌ1）から開口部９の寸法（Ｌ2）を差し引いたものよりも短く設定されている。
また、車幅方向基準で、カバー４０の寸法（幅）は、開口部９の寸法（幅）よりもやや長く設定されるとともに、一対の側面部１４の内壁１４ａどうしの距離よりもやや短く設定されている。
【００３５】
〈カバー〉
カバー４０は、無端軌道Ｔの上を周回するように移動するため、折り曲げ可能（変形可能）に構成されている。
このカバー４０は、周回方向（カバー４０の移動方向）に並んで設けられる複数のスラット部４０ａと、隣接するスラット部４０ａどうしを連結する複数の連結部４０ｂとを有する。つまり、スラット部４０ａが連結部４０ｂで鎧戸（シャッター）状に連結されている。
【００３６】
スラット部４０ａは、それぞれ車幅方向に延びる帯板状の部材である。これらスラット部４０ａの間には、連結部４０ｂのそれぞれが車幅方向に延びて設けられている。連結部４０ｂは、隣接するスラット部４０ａどうしを折り曲げ可能（または回動可能）に連結する部位である。ここでは、連結部４０ｂよりもスラット部４０ａのほうが厚く形成されている。そのため、カバー４０では、厚みの異なるスラット部４０ａおよび連結部４０ｂによって周回方向に沿った凸凹が形成される。
【００３７】
スラット部４０ａは剛性を有するのに対し、連結部４０ｂは柔軟性（屈曲変形可能な可撓性）を有する。そのため、連結部４０ｂが湾曲するように変形すると、隣接するスラット部４０ａが連結部４０ｂで折れるように変形する。あるいは、連結部４０ｂに各々のスラット部４０ａをピン接合することでも、無端軌道Ｔに沿ったスラット部４０ａどうしの屈曲変形が許容される。これらのようにして、カバー４０では、スラット部４０ａが連結部４０ｂで折れ曲がる。
カバー４０の材料としては、熱可塑性や熱硬化性のエラストマーを用いることができる。エラストマーとは、ゴム弾性を有する高分子材料である。なお、カバー４０の成形性に鑑みれば、熱可塑性のエラストマー（TPE:Thermo Plastic Elastomers）を用いるのが好ましい。
【００３８】
たとえば、連結部４０ｂにだけエラストマーを用いて、連結部４０ｂに柔軟性をもたせてもよい。この場合には、エラストマーよりも剛性を有する合成樹脂（プラストマー）や金属などの材料をスラット部４０ａに用いることができる。また、連結部４０ｂに加えてスラット部４０ａにもエラストマーを用いる場合には、連結部４０ｂよりもスラット部４０ａに剛性の高いエラストマーを用いたり、連結部４０ｂよりもスラット部４０ａに厚みをもたせたりすることで、連結部４０ｂに柔軟性をもたせつつスラット部４０ａに剛性をもたせることができる。
【００３９】
カバー４０の部位は、第一部位４１，第二部位４２，第三部位４３の三つに大別される。
カバー４０において、一方の端部（以下、「一端部」という）４０１から開口部９の寸法よりもやや長い分だけ他方へ向かう部位が第一部位４１であり、他方の端部（以下、「他端部」という）４０２から開口部９の寸法よりもやや長い分だけ一方へ向かう部位が第二部位４２であり、第一部位４１と第二部位４２との間の部位が第三部位４３である。
【００４０】
無端軌道Ｔにおいてカバー４０の位置する範囲（以下、「位相」という）は、表示部２０の不使用時と使用時と移動時とでそれぞれ異なる。
カバー４０の位相は、表示部２０の不使用時に第一位相（図３参照）となり、表示部２０の使用時に第二位相（図４参照）となり、表示部２０の移動時に第一位相と第二位相との間の位相（図２参照）となる。
【００４１】
第一位相は、図３に示すように、第一部位４１が開口部９に位置するときのカバー４０の位相である。すなわち、第一位相のカバー４０における第一部位４１は、開口部９を閉鎖する位置に設けられる。言い換えれば、カバー４０の第一部位４１は、表示部２０の不使用時に開口部２０を前側から閉鎖するように設けられる。具体的に言えば、第一位相のカバー４０は、一端部４０１が開口部９の後端縁９ａよりも後方に位置し、他端部４０２が後述する歯車５２の下方であって後方に位置する。
【００４２】
第二位相は、図４に示すように、第二部位４２が開口部９に位置するときのカバー４０の位相である。すなわち、第二位相のカバー４０における第二部位４２は、開口部９を閉鎖する位置に設けられる。言い換えれば、カバー４０の第二部位４２は、表示部２０の使用時に開口部２０を後側から閉鎖するように設けられる。具体的に言えば、第二位相のカバー４０は、他端部４０２が開口部９の前端縁９ｂよりも後方であるとともに表示部２０の支持部２１に後方から突き当たるように位置し、一端部４０１が後述する歯車５２の下方に位置する。
このように、カバー４０は、表示部２０の使用状態（使用時および不使用時）のそれぞれに応じて開口部９を閉鎖する二つの部位４１，４２を有する。
【００４３】
この第二部位４２は、光を透過する透過部４２ａを有する。
透過部４２ａは、第二位相にカバー４０があるときの第二部位４２において、投光装置３０からの投射光によって照射される範囲よりも大きい。言い換えれば、第二部位４２における透過部４２ａの範囲は、開口部９における投射光の通過範囲よりも大きく設定されている。透過部４２ａとしては、たとえば可撓性をもつ光透過性樹脂を用いることができる。
なお、第二部位４２における透過部４２ａ以外の部位や第一部位４１、第三部位４３は何れも、光を透過せず、ここでは光反射防止加工が施されている。
【００４４】
また、これらの第一位相と第二位相との間に位置するカバー４０、すなわち、表示部２０の移動時におけるカバー４０は、図２に示すように、開口部９以外の無端軌道Ｔの上に位置する。このときの開口部９は、カバー４０で閉鎖されることがなく、開放される。
【００４５】
〈開閉機構〉
開閉機構５０は、カバー４０を移動させて開口部９を開閉するものである。
この開閉機構５０は、カバー４０を移動させる駆動装置として、第二モータ５１とこの第二モータ５１に連結された歯車５２とを有し、また、カバー４０を無端軌道Ｔに沿って案内するガイドとして、ガイドプレート５９とガイド溝１４１（図５参照）とを有する。ガイドプレート５９は、カバー４０の車幅方向中間部４０Ａを案内するためのものであり、ガイド溝１４１は、カバー４０の車幅方向端部４０Ｂを案内するためのものである。
【００４６】
歯車５２は、カバー４０の凸凹と対応する形状の歯５２ａを有する。この歯５２ａとカバー４０とが噛み合って設けられている。
歯車５２およびガイドプレート５９は、無端軌道Ｔがなす長円の長手方向端部、すなわち前後の各端部に設けられている。具体的には、無端軌道Ｔの前端部における内周側に歯車５２が配置され、無端軌道Ｔの後端部における内周側に沿ってガイドプレート５９が配置される。ここで例示するガイドプレート５９は、側面視で半円の弧状をなすとともに車幅方向に延び、内周側に投光装置３０が配置されている。開閉機構５０を装軌車両の履帯に準えれば、歯車５２がドライブタンブラに対応し、ガイドプレート５９がアイドラプーリに対応する箇所に設けられ、カバー４０が履帯の一部に対応する。
【００４７】
図５に示すように、ガイド溝１４１は、側面視で無端軌道Ｔに沿って設けられている。このガイド溝１４１の幅（周回方向に直交する長さ）は、カバー４０の厚み（周回方向に直交する長さ）よりもやや大きく設定されている。ここでは、側面部１４において内壁１４ａの一部を無端軌道Ｔに沿って突出させることで、ガイド溝１４１が形成されている。
このガイド溝１４１には、カバー４０の車幅方向端部４０Ｂが配置される。
【００４８】
第二モータ５１を回転駆動することで歯車５２が回転し、歯車５２の歯５２ａと噛み合うカバー４０が無端軌道Ｔの上を移動する。このときのカバー４０は、車幅方向中間部４０Ａがガイドプレート５９によって内周側から案内され、車幅方向端部４０Ｂがガイド溝１４１によって案内される。
【００４９】
［２．作用および効果］
本実施形態の表示装置用開閉機構は、上述のように構成されるため、以下のような作用および効果を得ることができる。
【００５０】
［２−１．作用］
まず、ヘッドアップディスプレイ装置１における作用について、表示部２０の不使用時，移動時，使用時の順に説明する。
図３に示すように、表示部２０の不使用時には、装置筐体１０の内部に表示部２０が横たわって格納されている。このときのカバー４０の位相は第一位相であり、第一部位４１で開口部９が閉鎖される。
図２に示すように、開閉機構５０が駆動されると、周回方向の他方へ向けて無端軌道Ｔの上をカバー４０が移動し、第一位相と第二位相との間にカバー４０が位置して、第一部位４１で閉鎖されていた開口部９が開放される。そして、表示部２０の移動時には、移動機構２９によって、表示部２０が起立するように移動して装置筐体１０の外部に展開される。
【００５１】
図４に示すように、開閉機構５０がさらに駆動されると、カバー４０の他端部４０２が表示部２０の支持部２１に突き当たり、カバー４０の位相が第二位相となる。このように、表示部２０を外部に展開した状態において、カバー４０の第二部位４２で開口部９が閉鎖される。すなわち、第一部位４１が無端軌道Ｔの上を移動して開放された開口部９は、第二部位４２によって閉鎖される。
そして、表示部２０に向けて投光装置３０から光が投射され、表示部２０に情報が表示される。このようにして表示部２０が使用される。
【００５２】
［２−２．効果］
（１）表示部２０の不使用時には、カバー４０の第一部位４１によって開口部９が閉鎖される。また、表示部２０の使用時には、カバー４０の第二部位４２によって開口部９が閉鎖される。したがって、表示部２０が使用時であっても不使用時であっても開口部９が閉鎖される。よって、埃や塵などの微細な異物、コインやカードあるいはペンなどの大きな異物が開口部９から装置筐体１０の内部に侵入することを抑えることができる。
【００５３】
装置筐体１０内部への微細な異物の侵入が抑えられることで、格納された表示部２０や移動機構２９，開閉機構５０への塵埃の付着が抑えられる。そのため、表示部２０に映し出される情報の視認性の低下を抑えることができ、各機構２９，５０の耐久性を向上させることができる。装置筐体１０の内部に侵入した異物は取り除きにくいものの、このような異物の侵入が抑えられることで、装置筐体１０内部の清掃や保守といった作業負荷を軽減させることができる。
また、大きな異物は、装置筐体１０内部に侵入することで各機構２９，５０の耐久性を低下させるおそれがあるものの、侵入が抑えられることで、各機構２９，５０の耐久性を向上させることができる。
【００５４】
表示部２０の移動時には、たとえば、第一部位４１が無端軌道Ｔの上を移動して開口部９は開放される。このようにして、開口部９以外の無端軌道Ｔの上にカバー４０が位置するため、開口部９が開放される。したがって、表示部２０が開口部９を通って移動することができる。
無端軌道Ｔの上を往復するようにカバー４０が移動することから、カバー４０は折り曲げ可能に構成されている。また、無端軌道Ｔは、装置筐体１０の内部に設定されている。そのため、カバー４０を装置筐体１０の内部に折り曲げて収容することができる。
【００５５】
たとえば、折り曲げ不能なパネル状のカバーで開口部が覆われる機構では、一枚板状のカバーを収容するだけのスペースが装置筐体の内部に必要となる。これに対して、本実施形態の表示装置用開閉機構は、装置筐体１０の内部にカバー４０が折り曲げられて収容されているため、装置を小型化することができる。
このようにして、異物の侵入を抑えるとともに装置の大型化を抑えることができる。
【００５６】
（２）表示部２０の使用時に開口部９を閉鎖する第二部位４２が、光を透過する透過部４２ａを有するため、投光装置３０から表示部２０への投射光を開口部９で遮ることなく透過させることができる。したがって、表示部２０の使用時に、表示部２０に情報を映し出すとともに開口部９を閉鎖して異物の侵入を防ぐことができる。
【００５７】
（３）無端軌道Ｔの一部は、投光装置３０に対して投射光を投射する側とは反対側に回り込むように設定されているため、投光装置３０からの投射光に対するカバー４０の干渉を抑えることができる。よって、表示部２０への投射光を遮ることがなく、表示性の向上に寄与する。
【００５８】
（４）表示部２０は、不使用時に横たわった状態とされ、使用時に横たわった状態から揺動されて装置筐体１０の外部で起立した状態とされるため、たとえば表示部が直線状に往復動して出没するように移動する機構（以下、「所定機構」という）に比較して、開口部が大きく異物が侵入しやすくなるものの、カバー４０の第一部位４１および第二部位４２によって開口部９が閉鎖されるため、効果的に異物の侵入が抑えられる。
また、所定機構に比較して、装置筐体１０における表示部２０の格納深さを抑えることができる。よって、装置を薄型化あるいは小型化することができる。
【００５９】
（５）無端軌道Ｔに沿って設けられてカバー４０の移動を案内するガイドプレート５９およびガイド溝１４１により、カバー４０を確実に無端軌道Ｔに沿わせながら安定して移動させることができる。
（６）カバー４０は、剛性を有するスラット部４０ａ同士が柔軟性を有する連結部４０ｂによって連結されるため、簡素な構成で変形可能に構成される。
【００６０】
（７）ダッシュボード３の上面３ａに開口部９が設けられるため、開口部９から重力で異物が侵入（落下）しやすいものの、この侵入が効果的に抑えられる。
（８）このように、ヘッドアップディスプレイ装置１において、開口部９からの異物の侵入を抑えつつ、大型化を抑えることができる。
【００６１】
（９）さらに、不使用時の表示部２０が横たわる方向に無端軌道Ｔの長手方向が沿うことからも、装置の薄型化あるいは小型化に寄与する。
（１０）第一部位４１には光反射防止加工が施されているため、表示部が格納された状態で開口部９を透明なカバーで閉鎖するものに比較すれば、格納された表示部２０で光が反射されることを防止することができる。たとえば、フロントウィンドウ２への光の映り込みによる眩輝（グレア）を抑えることができる。よって、安全性の向上にも寄与しうる。
【００６２】
〔ＩＩ．変形例〕
以上、一実施形態について説明したが、本発明は上述の一実施形態に限定されるものではなく、本発明の趣旨を逸脱しない範囲で種々変形して実施することができる。上述した一実施形態の各構成は、必要に応じて取捨選択することができ、適宜組み合わせてもよい。
ヘッドアップディスプレイ装置１の設置箇所は、ダッシュボード３に限らず、ルーフパネルの前端部であってもよい。すなわち、ドライバ５の視界の上部に重ねて情報が表示されるヘッドアップディスプレイ装置１であってもよい。この場合、開口部が下向きに設けられることから異物が侵入しにくくなり、確実に異物の侵入が抑えられる。
【００６３】
表示部２０の移動形態は、揺動するものに限られず、たとえば直線状に往復動するものであってもよい。この場合、たとえば無端軌道の形状が格納された表示部に対応したものとなり、開口部の大きさや形状も表示部の移動形態に応じたものとなるため、装置の形状や大きさも表示部の移動形態に応じたものとなる。
【００６４】
カバー４０は、鎧戸状のものに限られず、フィルムやゴム板といった可撓性を有するものであってもよい。ここでいう可撓性とは、少なくとも開口部９に位置するカバー４０がその形状を保持する剛性を有するものいう。この場合、無端軌道Ｔに沿ってカバー４０を円滑に移動させることができる。また、基端（下端）が巻き取り装置に連結された可撓性を有するカバーが巻き取られて収容される機構に比較して、カバー４０の巻付半径が小さくなるのを抑え、カバー４０に巻き癖がつくのを抑えることができる。これは、開口部９の確実な開閉やカバー４０の耐久性の向上に寄与する。
【００６５】
カバー４０が移動する軌道は、周回可能な無端軌道Ｔに限らず、少なくとも開口の９の一方側から他方側へ回り込むように設定されていれば、周回不能な軌道や有端の軌道など種々の軌道とすることができる。
さらに、カバー４０は、折り曲げ変形可能なものに限らず、折り曲げ不能なパネル状のものを用いてもよい。この場合、同一平面内に設定された円環状の軌道の上をカバー４０が往復移動することで、開口部９が開閉される。このようなパネル状のカバー４０を用いたとしても、装置を薄型化することで大型化を抑えることができる。
【００６６】
表示装置は、ヘッドアップディスプレイ装置に限定されるものではなく、少なくとも表示部が装置筐体内に格納可能であればよい。たとえば、表示装置がカーナビゲーション装置であってもよい。この場合の表示部としては、液晶モニタや有機ＥＬモニタなどが挙げられる。
【符号の説明】
【００６７】
１    ヘッドアップディスプレイ装置（表示装置）
３    ダッシュボード（インストルメントパネル）
３ａ    上面
９    開口部
１０    装置筐体
２０    表示部
２９    移動機構
３０    投光装置
４０    カバー
４０ａ    スラット部
４０ｂ    連結部
４１    第一部位
４２    第二部位
４２ａ    透過部
４３    第三部位
５０    開閉機構
５１    第二モータ
５９    ガイドプレート
１４１    ガイド溝
Ｔ    無端軌道
【図１】
0006458585.tif 000002
【図２】
0006458585.tif 000003
【図３】
0006458585.tif 000004
【図４】
0006458585.tif 000005
【図５】
0006458585.tif 000006